(57)【要約】【課題】  情報処理手段から見て、制御が単純で簡単なものとなるようにする。  【解決手段】  リーダライタシステム１は、ＩＣカード４と無線通信するリーダライタ２と、コンピュータ３とを備えて構成されている。コンピュータ３のメモリ１４には、アプリケーションプログラムが記憶されている。リーダライタ２のメモリ９にはアクセス制御処理プログラム群、アクセス制御情報が記憶されている。制御回路１１から情報アクセス要求がリーダライタ２へ出力されると、この制御回路５はアクセス制御情報を参照し、当該アクセス要求を実行するために必要な複数のアクセス制御処理に展開し、該アクセス制御処理に対応するアクセス制御処理プログラムを選択してアクセス手順を構成し、このアクセス手順を実行して、ＩＣカード４と通信し、必要な情報を前記制御回路１１に返送する。【選択図】  図１
2006031604.tif 000002
【特許請求の範囲】
【請求項１】
ユーザーのニーズに応じた情報処理を行なうためのアプリケーションプログラムを実行する情報処理手段によって制御され、互いに異なるアクセス手順をもつ複数種類の非接触ＩＣカードとの間で非接触データ通信を行う非接触通信手段を構成に含む非接触通信システムであって、
前記非接触通信手段は、
前記複数種類の非接触ＩＣカードのそれぞれに対応したアクセス制御処理を実行するためのアクセス制御処理プログラム群を記憶する第1の記憶手段と、
前記第1の記憶手段に記憶された前記アクセス制御処理プログラム群の中から、少なくとも一つのアクセス制御処理プログラムを選択して実行するアクセス制御手段と、
前記アクセス制御手段が少なくとも一つのアクセス制御処理プログラムを選択をするために参照するアクセス制御情報を記憶する第２の記憶手段と、を構成に含み、
さらに前記アクセス制御手段は、
前記情報処理手段から受けた非接触ＩＣカードに対するアクセス要求に基づいて前記アクセス制御情報を参照し、当該アクセス要求を実行するために必要な複数のアクセス制御処理に展開する展開手段と、
前記展開手段が展開した複数の前記アクセス制御処理に対応するアクセス制御処理プログラムを、前記アクセス制御処理プログラム群の中から選択し、一連のアクセス手段として構成するアクセス手順構成手段と、を構成に含み、
前記アクセス制御手段は、前記アクセス手順構成手段が構成した一連のアクセス手順を実行することを特徴とする非接触通信システム。
【請求項２】
請求項１に記載の非接触通信システムにおいて、
前記第２の記憶手段に記憶された前記アクセス制御情報は、複数種類の前記非接触ＩＣカードがもつ互いに異なるアクセス手順のそれぞれについて、当該アクセス手順が実行されるときに必要な情報が当該アクセス手順が実行される順序で配列されたものであり、
同一種類の非接触ＩＣカードに関係するアクセス制御情報が、それぞれの非接触ＩＣカードの種類毎にグループ化されたアクセス制御情報グループを構成することを特徴とする非接触通信システム。
【請求項３】
請求項１又は２に記載の非接触通信システムにおいて、
前記第１の記憶手段が記憶する前記アクセス制御処理プログラム群は、複数の階層をもつ階層構造をなすように構成され、
前記アクセス手順構成手段が、前記アクセス制御情報を参照して一連のアクセス手順として構成する過程において、前記階層構造を上位階層から下位階層に向かって選択を繰り返すことによって、目的とする前記アクセス制御処理プログラムを発見するようになっていることを特徴とする非接触通信システム。
【請求項４】
請求項２又は３に記載の非接触通信システムにおいて、
前記第１の記憶手段が記憶する前記アクセス制御処理プログラム群は、通信可能な領域内に存在する複数種類の前記非接触ＩＣカードを検出するために、それぞれの非接触ＩＣカードの種類に対応した複数種類の存在検出プログラムを含み、
前記存在検出プログラムは、前記アクセス制御処理プログラム群において前記アクセス制御手段が最優先で実行する階層に属することを特徴とする非接触通信システム。
【請求項５】
請求項４に記載の非接触通信システムにおいて、
前記アクセス制御手段は、いずれかの種類の非接触ＩＣカードを検出するまで複数種類の存在検出プログラムを所定の順序で繰り返し実行することを特徴とする非接触通信システム。
【請求項６】
請求項４又は５に記載の非接触通信システムにおいて、
前記アクセス制御手段は、一つ又は複数の種類の非接触ＩＣカードを指定する情報を受けた場合には、指定された種類の非接触ＩＣカードに対応する前記存在検出プログラムのみを、いずれかの種類の非接触ＩＣカードが検出されるまで繰り返し実行することを特徴とする非接触通信システム。
【請求項７】
請求項１ないし６のいずれかに記載の非接触通信システムにおいて、
さらに、前記アクセス制御処理プログラム群及びアクセス制御情報の設定状態を変更する管理手段を構成に含み、
前記情報処理手段から受けた設定情報に基づいて前記管理手段が行なう前記設定状態の変更には、前記アクセス制御処理プログラム群又はアクセス制御情報の追加、削除、値の変更を含むことを特徴とする非接触通信システム。
【請求項８】
請求項７に記載の非接触通信システムにおいて、
前記存在検出プログラムが複数設定されており、前記情報処理手段から存在検出プログラム相互間の実行の優先順位を指定する情報を受けた場合には、前記管理手段は、指定された存在検出プログラムにその優先順位を設定し、
前記アクセス制御手段は、前記優先順位に基づいて優先順位の高い存在検出プログラムほど実行頻度が高くなるように実行することを特徴とする非接触通信システム。
【請求項９】
請求項７又は８に記載の非接触通信システムにおいて、
前記存在検出プログラムに優先順位が設定されており、さらに前記存在検出プログラムが複数種類の通信可能な非接触ＩＣカードを検出した場合には、前記アクセス制御手段は、優先順位の高い方の種類の非接触ＩＣカードのアクセス手順を実行することを特徴とする非接触通信システム。
【発明の詳細な説明】
【技術分野】
【０００１】
本発明は、ユーザーのニーズに応じた情報処理を行なうためのアプリケーションプログラムを実行する情報処理手段によって制御され、異なるアクセス手順をもつ複数種類の非接触ＩＣカードとの間で非接触データ通信を行う非接触通信手段を構成に含む非接触通信システムに関する。
【背景技術】
【０００２】
非接触ＩＣカード（非接触ＩＣタグも含む）と無線通信にて情報の授受を行う非接触通信手段たるリーダライタを備えたリーダライタシステムは、ユーザーのニーズに応じた情報処理を行なうためのアプリケーションプログラムを実行する情報処理手段たる例えばコンピュータによって制御されるようになっている。
この非接触通信システムは、コンピュータからの指令が出されると、リーダライタを介して非接触ＩＣカードと無線通信して指令に応じた情報を読み出し、該コンピュータに転送するようになっている。このコンピュータは、リーダライタと非接触ＩＣカードとの間で非接触データ通信を行うために、アプリケーションプログラムをメモリに有し、このアプリケーションプログラムを実行するものである。このアプリケーションプログラムは、コンピュータ及びリーダライタ間の処理、リーダライタ及びＩＣカード間の処理を順次シーケンス制御するためのものであり、かなり、複雑であり、しかも、ＩＣカードのカードタイプとしては複数有り、それぞれ処理手順や使用可能コマンドも異なり、各カードタイプごとにアプリケーションプログラムが必要であった。なお、本願とは直接関係はないが特許文献１がある。これは、ＩＣカードのリーダライタを本来の利用目的でのみ利用させるようにするために、特定の処理をさせるための秘密コマンドをアプリケーションプログラムに組み込んで、リーダライタがこの秘密コマンドを受けてＯＫコマンドをアプリケーションプログラムに返送すると、アプリケーションプログラムがリーダライタを介してＩＣカードへの書き込み又は書き込み等を実行する。
【特許文献１】特開２００２−１５７０３８号公報
【発明の開示】
【発明が解決しようとする課題】
【０００３】
上述したように、従来のリーダライタシステムを制御するコンピュータにおいては、制御が複雑で、ＩＣカードのカードタイプに対してそれぞれ処理手順や使用可能コマンドが異なり、各カードタイプごとにアプリケーションプログラムを用意する必要があった。
本発明は上記事情に鑑みてなされたものであり、その目的は、情報処理手段から見て、制御が単純で簡単なものとなる非接触通信システムを提供するにある。
【課題を解決するための手段】
【０００４】
請求項１の発明によれば、ユーザーのニーズに応じた情報処理を行なうためのアプリケーションプログラムを実行する情報処理手段によって制御され、互いに異なるアクセス手順をもつ複数種類の非接触ＩＣカードとの間で非接触データ通信を行なう非接触通信手段を構成に含む非接触通信システムにおいて、
前記非接触通信手段は、前記複数種類の非接触ＩＣカードのそれぞれに対応したアクセス制御処理を実行するためのアクセス制御処理プログラム群を記憶する第１の記憶手段と、
前記第1の記憶手段に記憶された前記アクセス制御処理プログラム群の中から、少なくとも一つのアクセス制御処理プログラムを選択して実行するアクセス制御手段と、
前記アクセス制御手段が少なくとも一つのアクセス制御処理プログラムを選択するために参照するアクセス制御情報を記憶する第２の記憶手段と、を構成に含み、
さらに前記アクセス制御手段は、
前記情報処理手段から受けた非接触ＩＣカードに対するアクセス要求に基づいて前記アクセス制御情報を参照し、当該アクセス要求を実行するために必要な複数のアクセス制御処理に展開する展開手段と、
前記展開手段が展開した複数の前記アクセス制御処理に対応するアクセス制御処理プログラムを、前記アクセス制御処理プログラム群の中から選択し、一連のアクセス手段として構成するアクセス手順構成手段と、を構成に含み、
前記アクセス制御手段は、前記アクセス手順構成手段が構成した一連のアクセス手順を実行することを特徴とするものである。
【０００５】
アプリケーションプログラムを実行する情報処理手段は、非接触ＩＣカードの種類に関わりなく、目的とする情報へのアクセス要求を非接触通信システムに対して与えるだけで、非接触通信システムがアクセス制御処理プログラム群の中から該当するアクセス制御処理プログラムを選択して実行し、目的とする情報へのアクセスを情報処理手段に代わって実行するので、情報処理手段から見た場合に、制御が単純で容易なものとなる。
【０００６】
請求項２の発明によれば、前記第２の記憶手段に記憶された前記アクセス制御情報は、複数種類の前記非接触ＩＣカードがもつ互いに異なるアクセス手順のそれぞれについて、当該アクセス手順が実行されるときに必要な情報が当該アクセス手順が実行される順序で配列されたものであり、同一種類の非接触ＩＣカードに関係するアクセス制御情報が、それぞれの非接触ＩＣカードの種類毎にグループ化されたアクセス制御情報グループを構成するものであり、アクセス手順構成手段が一連のアクセス手順として構成することが容易な構成となっている。
【０００７】
請求項３の発明によれば、前記第１の記憶手段が記憶する前記アクセス制御処理プログラム群は、複数の階層をもつ階層構造をなすように構成され、
前記アクセス手順構成手段が、前記アクセス制御情報を参照して一連のアクセス手順として構成する過程において、前記階層構造を上位階層から下位階層に向かって選択を繰り返すことによって、目的とする前記アクセス制御処理プログラムを発見するようになっているものであり、さらに、一連のアクセス手順として構成することが容易な構成となっている。
【０００８】
請求項４の発明によれば、  前記第１の記憶手段が記憶する前記アクセス制御処理プログラム群は、通信可能な領域内に存在する複数種類の前記非接触ＩＣカードを検出するために、それぞれの非接触ＩＣカードの種類に対応した複数種類の存在検出プログラムを含み、
前記存在検出プログラムは、前記アクセス制御処理プログラム群において前記アクセス制御手段が最優先で実行する階層に属するものとなっており、いずれの手順においても最初非接触ＩＣカードの存在検出プログラムが実行されるようになっている。
【０００９】
請求項５の発明によれば、前記アクセス制御手段は、いずれかの種類の非接触ＩＣカードを検出するまで複数種類の存在検出プログラムを所定の順序で繰り返し実行するものであり、存在検出が可能な全ての種類の非接触ＩＣカードの存在検出が実行される。
請求項６の発明によれば、前記アクセス制御手段は、一つ又は複数の種類の非接触ＩＣカードを指定する情報を受けた場合には、指定された種類の非接触ＩＣカードに対応する前記存在検出プログラムのみを、いずれかの種類の非接触ＩＣカードが検出されるまで繰り返し実行するものであり、対象とする非接触ＩＣカードの種類が指定された場合には、指定された種類の非接触ＩＣカードのみが存在検出の対象になる。
【００１０】
請求項７の発明によれば、非接触通信システムは、さらに、前記アクセス制御処理プログラム群及びアクセス制御情報の設定状態を変更する管理手段を構成に含み、
前記情報処理手段から受けた設定情報に基づいて前記管理手段が行なう前記設定状態の変更には、前記アクセス制御処理プログラム群又はアクセス制御情報の追加、削除、値の変更を含むものであり、必要に応じてアクセス制御処理プログラム群またはアクセス制御情報を修正することができる。
【００１１】
請求項８の発明によれば、前記存在検出プログラムが複数設定されており、前記情報処理手段から存在検出プログラム相互間の実行の優先順位を指定する情報を受けた場合には、前記管理手段は、指定された存在検出プログラムにその優先順位を設定し、
前記アクセス制御手段は、前記優先順位に基づいて優先順位の高い存在検出プログラムほど実行頻度が高くなるように実行するものであり、優先順位が高く設定された種類の非接触ＩＣカードほど、その存在が検出される可能性が高くなる。
【００１２】
請求項９の発明によれば、前記存在検出プログラムに優先順位が設定されており、さらに前記存在検出プログラムが複数種類の通信可能な非接触ＩＣカードを検出した場合には、前記アクセス制御手段は、優先順位の高い方の種類の非接触ＩＣカードのアクセス手順を実行するので、優先順位が高い方の種類の非接触ＩＣカードほどアクセスが早く確実に実行される可能性が高くなる。
【発明を実施するための最良の形態】
【００１３】
以下、本発明の一実施例について図１ないし図３を参照して説明する。まず、図１には、非接触ＩＣカードによりＩＤコードを認証して、ドアの鍵のロックを解除する用途のシステムに利用した非接触通信システムとしてのリーダライタシステム１を示している。このリーダライタシステム１は、非接触通信手段としてのリーダライタ２と、上位装置たるコンピュータ３と、複数の非接触ＩＣカード（以下単にＩＣカードという）４とを備えて構成されている。
【００１４】
リーダライタ２は、アクセス制御手段、展開手段、アクセス手順構成手段及び管理手段たる制御回路５と、変調回路６と、アンテナ７と、復調回路８と、メモリ９と、コンピュータ３と通信するための上位通信部１０とを備えて構成されている。
制御回路５はリーダライタ３全般の動作を制御するもので、ＣＰＵを有してなり、コンピュータ３に上位通信部１０を介して接続されている。変調回路６は、制御回路５からのデータを搬送波に乗せて変調すると共に、この変調信号（データ）や電力供給用信号を前記アンテナ７から送信する。復調回路８はＩＣカード４からの返送データ（受信信号）を増幅し、これを検波し復調する。前記メモリ９は、例えば不揮発性メモリからなり、アクセス制御処理プログラム群と、ＩＣカードタイプごとに実施すべき内容を特定するアクセス制御情報が記憶されており、アクセス制御処理プログラム群を記憶する第１の記憶手段及びアクセス制御情報を記憶する第２の記憶手段たるものである。
【００１５】
また、ＩＣカード４は、リーダライタ２からコマンドに応じてレスポンスを該リーダライタ２に返したり、データを書き込んだりする。
前記コンピュータ３は、ユーザーのニーズに応じた情報処理を行なうためのアプリケーションプログラムを実行する情報処理手段たる制御回路１１、ＲＡＭ１２、ＲＯＭ１３、アプリケーションプログラム記憶手段としてのメモリ１４、例えばキーボードからなる入力部１５、ディスプレー１６、リーダライタ通信部１７を有して構成されている。制御回路１１はＣＰＵを主体に構成されており、前記アプリケーションプログラムに従って動作する。上記メモリ１４は例えば不揮発性メモリから構成されている。
【００１６】
上記アプリケーションプログラムは、情報アクセス要求を出すための処理手順、及び必要な情報が得られたときに当該リーダライタシステム１の用途（ＩＣカードを認証して鍵のロックを解除する）に対応した処理手順がプロブラミングされたものである。
また、アクセス制御処理プログラム群は、概念的には図２に示すプログラム構造となっている。アクセス制御処理プログラム群には、アクセス手順構成プログラム、存在検出プログラム、認証処理プログラム、実処理プログラムが階層構造となっており、上記アクセス手順構成プログラムが、アクセス制御情報をもとに、各プログラムを選択して、ＩＣカード４との処理を実行する。前記存在検出プログラムは、前記アクセス制御処理プログラム群において制御回路５が最優先で実行する階層に属する。
【００１７】
図３には、アクセス制御情報の一例を示しており、アクセス制御情報は、複数種類の前記非接触ＩＣカードがもつ互いに異なるアクセス手順のそれぞれについて、当該アクセス手順が実行されるときに必要な情報が当該アクセス手順が実行される順序で配列されたものであり、同一種類の非接触ＩＣカードに関係するアクセス制御情報が、それぞれの非接触ＩＣカードの種類毎にグループ化されたアクセス制御情報グループを構成する。
【００１８】
さて、このリーダライタシステム１の全体的な作用について、図３を参照して説明する。アプリケーションプログラムに従い動作するコンピュータ３の制御回路１１から情報アクセス要求が、アクセス制御処理プログラムに従い動作するリーダライタ２の制御回路５に与えられると、制御回路５のアクセス手順構成プログラムは、予め記憶されたアクセス制御情報データのうち、優先順位の１番目のアクセス制御情報を参照する。この中で、存在検出処理を実行するための情報であるカードタイプ情報をもとに、適する存在検出プログラムを選択して、ＩＣカードの存在検出処理を実行する。本実施例の存在検出プログラムでは、制御回路５は、最初にリクエストコマンドを変調回路６及びアンテナ７を介して発信する。
【００１９】
ＩＣカード４がリーダライタ２に接近してこのリクエストを受けると、リクエスト応答をリーダライタ２へ返信する。リーダライタ２はこの返信信号をアンテナ７及び復調回路８を介して受信・復調して復調データを制御回路５に転送する。制御回路５は、リクエスト応答が正常であると判断すると、アトリビュート（ＩＣカード４とリーダライタ２との間の通信速度の設定データなど）をＩＣカード４に送信し、ＩＣカード４がこれを受けて、アトリビュート応答をリーダライタ２へ返信する。
【００２０】
存在検出プログラムの処理が正常に終了すると、制御回路５のアクセス手順構成プログラムは、アクセス制御情報の認証処理をするための情報である認証要否、認証方式、親ファイル、認証ファイル、鍵をもとに、適する認証処理プログラムを選択し、ＩＣカードとの認証処理を実施する。
本実施例の認証処理プログラムでは、認証対象となるファイルを選択して、正常に選択がされた後、認証処理を施している。
【００２１】
認証処理プログラムの処理が正常に終了すると、制御回路５のアクセス手順構成プログラムは、アクセス制御情報の実処理をするための情報である処理内容、データ（数）、親ファイル、実処理ファイル、ファイル形式をもとに、適する実処理ファイルを選択し、ＩＣカードとの実処理を実施する。このように前記アクセス制御処理プログラム群は、複数の階層をもつ階層構造をなすように構成され、前記アクセス手順構成プログラムが、前記アクセス制御情報を参照して一連のアクセス手順として構成する過程において、前記階層構造を上位階層から下位階層に向かって選択を繰り返すことによって、目的とする前記アクセス制御処理プログラムを発見するようになっている。
【００２２】
本実施例の実処理プログラムでは、実処理対象となるファイルを選択して、正常に選択がされた後、バイナリデータの読み出しを実施している。
このようにして取得したＩＣカード内の情報は、リーダライタ２の制御回路５らコンピュータ３の制御回路１１に、アクセス要求に対する応えとして返信される。この情報がコンピュータ３の制御回路１１内の情報と一致すれば、ロック解除指令を図示しない鍵ロック解除制御装置に出力し（用途に応じた処理）、この鍵ロック解除装置がロックを解除することになる。
【００２３】
ここで、対象となるＩＣカードのタイプが異なる場合は、存在検出プログラムのリクエスト時点で応答が返らないため、制御回路５のアクセス手順構成プログラムは、アクセス制御情報の優先順位２番目の情報を参照して、同様の処理を実行する。つまり、いずれかの種類のＩＣカードを検出するまで複数種類の存在検出プログラムを所定の順序で繰り返し実行する。また、制御回路５は、コンピュータ３の制御回路１１から一つ又は複数の種類のＩＣカードを指定する情報を受けた場合には、指定された種類のＩＣカードに対応する前記存在検出プログラムのみを、いずれかの種類の非接触ＩＣカードが検出されるまで繰り返し実行するものである。
【００２４】
このように処理を実行することで、ＩＣカード４のタイプが何であれ、同じアクセス要求で情報を取得することができる。
そして、アプリケーションプログラムとしては、情報アクセスなどの要求を出す処理手順及び必要な情報が得られたときに当該リーダライタシステムの用途に対応した処理手順についてプログラミングした簡単なアプリケーションプログラムで済み、この結果、情報処理手段たるコンピュータ３の記憶手段たるメモリ１４に格納するアプリケーションプログラムの簡単化を図り得るとともに、複数のカードタイプごとにアプリケーションプログラムを必要としない。
【００２５】
なお、制御回路５は、アクセス制御処理プログラム群及びアクセス制御情報の設定状態を変更する管理手段としても機能するようになっており、制御回路５は、前記コンピュータ３の制御回路１１から受けた設定情報に基づいて、アクセス制御処理プログラム群及びアクセス制御情報の追加、削除、値の変更を行なうようになっている。つまり、コンピュータ３の入力部１５からアクセス制御情報を入力すると、制御回路５は、メモリ９に新たなアクセス制御処理プログラム群及びアクセス制御情報を転送して書き込むことができるようにしている。また、前記コンピュータ３の入力部１５から、任意のアクセス制御処理プログラム群やアクセス制御情報について削除指令が入力されると、該当アクセス制御処理プログラム群やアクセス制御情報が削除される。従って、不必要なアクセス制御情報を廃棄できる。また、管理手段としても機能する制御回路５は、前記コンピュータ３の制御回路１１から存在検出プログラム相互間の実行の優先順位を指定する情報を受けた場合には、指定された存在検出プログラムにその優先順位を設定するようになっており、この場合、制御回路５は、前記優先順位に基づいて優先順位の高い存在検出プログラムほど実行頻度が高くなるように実行するものである。さらに制御回路５は前記存在検出プログラムが複数種類の通信可能なＩＣカードを検出した場合には、優先順位の高い方の種類のＩＣカードのアクセス手順を実行するものである。
【００２６】
また、上記実施例によれば、アクセス制御処理プログラム群及びアクセス制御情報を一つのメモリ９に記憶させたから、構成の簡単化及び処理速度の向上を図ることができる。
さらに、上記実施例によれば、アクセス制御処理プログラム群及びアクセス制御情報を記憶するメモリ９をリーダライタ２に設けたから、外部に知られたくない処理手順や認証鍵などの機密保守を図ることができて、セキュリティ上安全度が増す。しかも、処理速度も向上する。
【００２７】
なお、アクセス制御処理プログラム群及びアクセス制御情報は、例えばドライバとしてコンピュータ３が有するメモリ１４に格納しても良い。このようにしても初期の目的は達成できる。この場合アクセス制御情報はＩＮＦファイルとして格納しても良い。また、アプリケーションプログラム、アクセス制御処理プログラム群及びアクセス制御情報は、それぞれの提供者が、例えば、インターネットのサーバーに保有していて、必要に応じて該サーバーから上位装置にダウンロードして、記憶手段に記憶させるようにしても良い。また、アプリケーションプログラム、アクセス制御処理プログラム群及びアクセス制御情報の提供者が適宜の記録媒体に記録しておき、その記録媒体の記録データを上位装置により取り込んで記憶手段に記憶させるようにしても良い。
【図面の簡単な説明】
【００２８】
【図１】本発明の一実施例を示すリーダライタシステムの概略構成のブロック図
【図２】アクセス制御処理プログラム群の概念構成を示す図
【図３】アクセス制御情報及びアクセス制御処理への展開を示す図
【符号の説明】
【００２９】
図面中、１はリーダライタシステム（非接触通信システム）、２はリーダライタ（非接触通信手段）、３はコンピュータ、４はＩＣカード（非接触ＩＣカード）、５は制御回路（アクセス制御手段、展開手段、アクセス手順構成手段、管理手段）、９はメモリ（第1の記憶手段、第２の記憶手段）、１１は制御回路（情報処理手段）、１４はメモリを示す。
【図１】
2006031604.tif 000003
【図２】
2006031604.tif 000004
【図３】
2006031604.tif 000005